(57)【要約】【課題】不正行為による荷重が働いても大型枠部材が十分に耐え得て反りや撓みを生じさせず、不正行為も簡単に行なえないようにした弾球遊技機を提供する。【解決手段】透明板保持枠４、機構板１３といった合成樹脂製の大型枠部材の裏面にその外周縁に沿って所定の外径を有する金属製の補強線材２５ａ，２５ｂ，２５ｃを配置してなり、前記補強線材２５ａ，２５ｂ，２５ｃの適宜位置の外周面に多数の環状歯が列設される噛合部３８を刻設し、前記大型枠部材の裏面に前記噛合部３８と噛合する多数の歯を列設した噛合部３７が刻設される固定具２８を固着した構成からなる。【選択図】図５
2006181076.tif 000002
【特許請求の範囲】
【請求項１】
透明板保持枠、機構板といった合成樹脂製の大型枠部材の裏面にその外周縁に沿って所定の外径を有する金属製の補強線材を配置してなる弾球遊技機であって、
前記補強線材の適宜位置の外周面に多数の環状歯が列設される噛合部を刻設し、前記大型枠部材の裏面に前記噛合部と噛合する多数の歯を列設した噛合部が刻設される固定具を固着したことを特徴とする弾球遊技機。
【発明の詳細な説明】
【技術分野】
【０００１】
この発明は、透明板保持枠、機構板といった合成樹脂製の大型枠部材を補強するため、その裏面の外周縁に沿って金属製の補強線材を取着した弾球遊技機に関するものである。
【背景技術】
【０００２】
従来、例えば、弾球遊技機の一種であるパチンコ遊技機は、前面枠の前面に該前面枠に設置される遊技盤の前面を覆う透明板保持枠が回動自在に軸着されている。透明板保持枠には、遊技盤の遊技部が臨む円形の透視窓が開設され、該透視窓に透明板であるガラス板を前後に配置した複層透明板ユニットが装着される。ところで、前面のデザインが自由に行なえることから透明板保持枠は合成樹脂材により成形され、補強のためその裏面に前記透視窓を除いて一枚の金属板を重合している（例えば、特許文献１参照。）。
【０００３】
しかしながら、前記特許文献１の弾球遊技機では、透明板保持枠の裏面に重合される金属板が比較的大型であって金型を成形してからプレス成型されるので、この金属板の製作に多くの労力と時間が掛かり引いては透明板保持枠の製作費が嵩むという課題があった。また、しばしば透明板保持枠の裏面や前面枠の前面に電飾用の発光体を取付けた配線基板を配置するが、この場合は、それら発光体に対応した部位に刳り貫き孔を設けるようにしているため、例えば機種が異なり発光体の取付位置が変わると、その都度、それに合わせて金属板の金型を成形しなければならず、無駄が多く再利用も難しいという課題があった。
【０００４】
この点に鑑みて本出願人は、透明板保持枠、機構板といった合成樹脂製の大型枠部材の裏面にその外周縁に沿って所定の外径を有する金属製の補強線材を取着した構成からなる弾球遊技機を出願した。更に、詳しく説明すると、この弾球遊技機は、前記大型枠部材の裏面にその外周縁に沿って前記金属製の補強線材を配置してなり、前記補強線材は少なくとも一端が前記大型枠部材に固着されると共に適宜位置が前記大型枠部材の裏面に取着した押止具により前記大型枠部材の裏面に押圧される構成からなっている（特許文献２参照。）。
【特許文献１】特開平１０−２６３１６６号公報（第５頁段落００１９、図４、図５）
【特許文献２】特願２００４−３６４８６６（段落００１４−００１８、図５）
【発明の開示】
【発明が解決しようとする課題】
【０００５】
ところで、前記特許文献２の弾球遊技機における大型枠部材、例えば透明板保持枠では、例えば両側に大型のスピーカが装着されたり、或いは遊技者が不正行為をする目的で透明板保持枠を前側へ引っ張ったりする場合がある。このような状況では、補強線材が取着されているものの、該補強線材は少なくとも一端が前記大型枠部材に固着されると共に適宜位置が前記大型枠部材の裏面に取着した押止具により前記大型枠部材の裏面に押圧されるのみであるから、前者の荷重に対しては十分耐え得るが、後者の荷重に対しては耐え得るのが困難である。特に、撓みに対して補強線材がその軸線方向にずれて不正行為が容易く行なわれるおそれが有り、補強線材の本来の補強機能が十分生かされないという改良すべき点が残されていた。
【０００６】
そこで、本発明は上記改良点に鑑みてなされたもので、たとえ、不正行為などによる荷重が働いても大型枠部材が十分に耐え得て反りや撓みを生じない弾球遊技機を提供することを目的とするものである。
【課題を解決するための手段】
【０００７】
かかる目的を達成するため本発明の弾球遊技機は、透明板保持枠、機構板といった合成樹脂製の大型枠部材の裏面にその外周縁に沿って所定の外径を有する金属製の補強線材を配置してなる弾球遊技機であって、前記補強線材の適宜位置の外周面に多数の環状歯が列設される噛合部を刻設し、大型枠部材の裏面に前記噛合部と噛合する多数の歯を列設した噛合部が刻設される固定具を固着した構成からなる。具体的には、透明板保持枠、機構板といった合成樹脂製の大型枠部材の裏面にその外周縁に沿って所定の外径を有する金属製の補強線材を配置してなる弾球遊技機であって、補強線材の少なくとも一端側を大型枠部材に固着すると共に、補強線材の適宜位置の外周面に多数の環状歯が列設される噛合部を刻設し、大型枠部材の裏面に前記噛合部と噛合する多数の歯を列設した噛合部が刻設される固定具を固着した構成からなる。
【発明の効果】
【０００８】
本発明に係る弾球遊技機は、合成樹脂製の大型枠部材の裏面にその外周縁に沿って所定の外径を有する金属製の補強線材を配置し、前記補強線材の適宜位置の外周面に多数の環状歯が列設される噛合部を刻設し、大型枠部材の裏面に前記噛合部と噛合する多数の歯を列設した噛合部が刻設される固定具を固着してなる。よって、補強線材が大型枠部材と一体化しかつその軸線方向にはずれないので、大型枠部材が極めて強固な構造となり、荷重に十分耐え得るばかりでなく、たとえ不正行為などによる荷重が加わっても大型枠部材が反ったり撓むようなことがなく、不正行為も簡単に行なえないという効果がある。
【発明を実施するための最良の形態】
【０００９】
以下、本発明に係る弾球遊技機の実施の形態を図面に基づき説明する。なお、弾球遊技機には、例えば、パチンコ遊技機、アレンジボール機または雀球遊技機があるが、本発明にあっては、その一例としてパチンコ遊技機について説明する。図１は本発明が適用されるパチンコ遊技機の正面図、図２は同パチンコ遊技機の裏面図である。
【００１０】
パチンコ遊技機Ａは、外側に機枠１を有し、その前面に前面枠２が開閉自在に装着され、該前面枠２に遊技盤３が設置される。また、該前面枠２の前面には、その上部に前記遊技盤３の前面を覆う大型枠部材としての透明板保持枠４が開閉自在に装着され、その下方に打球発射部（図示せず。）へ供給されるパチンコ球を貯留するための上球皿６が設けられた前面板５が同じく開閉自在に装着されている。また、その下方であって前面枠２の前面に、上球皿６から溢れたパチンコ球を貯留する下球皿７及びその一側に位置して打球の発射力を調整するための操作ハンドル８がそれぞれ装着される。
【００１１】
前記遊技盤３の前面には、渦巻状に敷設された内側・外側ガイドレール９ａ，９ｂに囲われて遊技部３ａが成形され、該遊技部３ａにその中央に位置して数字、図柄等の情報を変動表示する可変表示装置１０、パチンコ球の入賞によって前記情報を変動させる始動入賞口１１が装着される。また、その下方に、前記可変表示装置１０の情報が特定の表示（例えば、「７７７」）に揃ったとき、一定の条件で一度に多くの入賞球が得られる入賞装置１２が装着されている。
【００１２】
一方、前面枠２の後側には、遊技盤３の裏面一部を覆うように合成樹脂製の大型枠部材としての機構板１３が開閉自在に装着される。この機構板１３はパチンコ遊技機Ａの裏面から見て逆Ｌ字状をなし、その上部に球タンク１４が配設され、その下方に該球タンク１４からのパチンコ球を一側下方の球払出装置１５へ供給するタンクレール１６が配設されている。前記球払出装置１５から払い出されたパチンコ球はその下流の球排出通路１７を介して前記上球皿６に排出されることになる。
【００１３】
前記透明板保持枠４は、合成樹脂材によりほぼ正方形状に成形され、図３乃至図５に示すように中央に前記遊技盤３前面の遊技部３ａが臨む円形の透視窓１８が開設される。この透視窓１８には後記する複層透明板ユニット１９が装着される。
【００１４】
また、透明板保持枠４の本体をなす保持枠本体板４ａの外周縁全体と透視窓１８の外周縁全体に、それぞれ後方へ突出する囲い枠片２０ａ，２０ｂが設けられている。前記透視窓１８の外周縁の複数個所（本実施の形態では、右側の上下部と左側の上下部のそれぞれ４個所）に支軸２１により軸着され鉛直面内で回動し得る係止部材２２が設けられる。一方、複層透明板ユニット１９は透視窓１８にほぼ合致する大きさを有し、その外周縁に前記各係止部材２２に対応位置して外側縁に凹部２３が設けられた突片２４が一体に設けられる。そして、各係止部材２２を各凹部２３に嵌入した状態で、それぞれ回動させて各突片２４の外側面に係止させることにより、複層透明板ユニット１９が透視窓１８の裏側に該透視窓１８を覆うようにして取着される。
【００１５】
本発明にあっては、保持枠本体板４ａの裏面であって外周縁の囲い枠片２０ａの内側に、該囲い枠片２０ａに沿わせて屈曲させた金属製の補強線材２５ａ，２５ｂ，２５ｃが複数本（本実施の形態では３本）配置されている。更に詳しく説明すると、図４において、保持枠本体板４ａの上縁と一側縁に連続して逆Ｌ字状の第１補強線材２５ａが配置され、下縁に第２補強線材２５ｂが配置され、更に他側縁（軸支部側）に第３補強線材２５ｃが配置されている。
【００１６】
第１補強線材２５ａの一端は、上縁一端における軸支部側の隅角部に取着した金属製の上部軸保持部材２６ａに固着され、他端は自由端になっている。また、保持枠本体板４ａの裏面に、隅角部を含め上縁及び一側縁に沿って第１補強線材２５ａをしっかりと押圧又は固着するための押圧具２７と固定具２８が複数設けられる。第２補強線材２５ｂの一端は、下縁一端の軸支部側の隅角部に取着した金属製の下部軸保持部材２６ｂにビス止めにより固着され、他端は自由端になっている。保持枠本体板４ａの下縁の囲い枠片２０ａの内面に近接させて複数の爪片２９が後方へ突設され、図１０に示すように第２補強線材２５ｂをしっかりと押圧している。第３補強線材２５ｃの下端は、前記下部軸保持部材２６ｂにビス止めにより固着され、上端は保持枠本体板４ａの裏面にビス止めにより固着される。第３補強線材２５ｃも固定具２８により固着されている。
【００１７】
前記各押圧具２７は、図６、図８に示すように保持枠本体板４ａの裏面に当接する基板３０の一端に軸筒部３１が突設され、該軸筒部３１を介して保持枠本体板４ａに設けられた螺子孔３２に螺子３３を螺合させることにより取着される。そして、基板３０の他端一側に設けられた押片３０ａのより第１・第２補強線材２５ａ，２５ｂを保持枠本体板４ａ側へ押圧している。保持枠本体板４ａの隅角部に取着される押圧具２７にあっては、押片３０ａが他端の両側に２個設けられている。
【００１８】
前記固定具２８は、図７、図９に示すように保持枠本体板４ａの裏面に当接する細長状の基板３４の両端部に軸筒部３５が突設される。そして、該軸筒部３５を介して保持枠本体板４ａに設けられた螺子孔３２に螺子３３を螺合させることにより、第１・第３補強線材２５ａ，２５ｃに沿って取着される。各軸筒部３５には、基板３４の長手方向に平行な長孔３５ａが貫設される。また、基板３４の一側に、第１・第３補強線材２５ａ，２５ｃの外周の長手方向に沿った面に被さる覆い板３６が突設され、該覆い板３６の内面に基板３４の長手方向と平行に鋸刃状の多数の歯を列設した噛合部３７が刻設されている。
【００１９】
一方、第１・第３補強線材２５ａ，２５ｃの外周面にも、固定具２８の取付部位に対応位置しかつその長手方向に沿って鋸刃状の多数の環状歯が列設され、前記噛合部３７と噛合する噛合部３８が刻設されている。前記にように軸筒部３５に長孔３５ａを設けたのは、固定具２８を取着する際、両噛合部３７，３８が互いに馴染んでしっかり交合するように固定具２８を第１・第３補強線材２５ａ，２５ｃに沿ってずらすことができるようにするためである。これにより、第１・第３補強線材２５ａ，２５ｃが保持枠本体板４ａに一体に固着されることになる。
【００２０】
第１乃至第３補強線材２５ａ，２５ｂ，２５ｃは、取着される大型枠部材により強度を考慮してその外径が設定される。透明板保持枠４は回動自在に軸着されるが、このため、図２に示すように前記上部軸保持部材２６ａに前面枠２側の軸孔（図示せず。）に挿通する支軸３９が上方へ出没自在に設けられ、また下部軸保持部材２６ｂにはその下部に前面枠２側の支軸（図示せず。）を挿通する軸孔４０が開設される。
【００２１】
このように本発明は、透明板保持枠４の裏面にその外周縁に沿って第１乃至第３補強線材２５ａ，２５ｂ，２５ｃを取着したが、金属線材を屈曲するのみで第１乃至第３補強線材２５ａ，２５ｂ，２５ｃが成形でき簡単である。よって、透明板保持枠４における補強に従来のような金属板を使用しなくても済むから、金型を成形する必要がなく、透明板保持枠４の製作が簡単になるばかりか製作費も低廉になし得る。また、大型枠部材が透明板保持枠４の場合、前記補強線材２５ａ，２５ｂ，２５ｃは機種変更によってもそのまま使用でき無駄が少ない。しかも、透明板保持枠４の裏面に広い空間部が成形されることからＬＥＤを設けた配線基板（図示せず。）の配置も自由にかつ容易に行なえる。
【００２２】
また、該各第１乃至第３補強線材２５ａ，２５ｂ，２５ｃの少なくとも一端を透明板保持枠４の裏面に固着すると共に各第１・第３補強線材２５ａ，２５ｃを適宜位置で押止具２７により透明板保持枠４の裏面に押圧するようにしたので、これによって透明板保持枠４が強固になり、例えば自重による撓みが防止される。なお、本実施の形態では、第１乃至第３補強線材２５ａ，２５ｂ，２５ｃを透明板保持枠４の外周縁全体に配置したが、その一部でも良い。
【００２３】
前記押圧具２７のみでは、例えば第１・第３補強線材２５ａ，２５ｃがそれぞれ一端のみ固着され他端は自由端になっているので、透明板保持枠４の捩れ作用や撓みに対しては、第１・第３補強線材２５ａ，２５ｃがその軸線方向にずれてしまい、十分な強度を発揮し得ないおそれがある。そこで、固定具２８により第１・第３補強線材２５ａ，２５ｃと保持枠本体板４ａとを一体に固着するようにすれば、両噛合部３７，３８がしっかり噛合して第１・第３補強線材２５ａ，２５ｃがその軸線方向にずれる心配は全くなく、前記捩れ作用や撓みに対しても透明板保持枠４が一層強固になる。よって、例えば、遊技者が透明板保持枠４を前側へ引っ張っても十分耐え得て、不正行為も簡単に行なわれることはない。
【００２４】
また、第１乃至第３補強線材２５ａ，２５ｂ，２５ｃを押圧又は固定する押圧具２７、固定具２８が、螺子３３を脱着することにより自在に着脱できることから第１乃至第３補強線材２５ａ，２５ｂ，２５ｃの交換が容易になる。
【００２５】
図１１は、他の大型枠部材である機構板１３に本発明を適用した実施の形態を示すものである。この機構板１３は逆Ｌ字型をしており、その裏面の外周縁に後方へ突出する囲い枠片２０ｃが設けられている。そして、機構板４の裏面であってその外周縁の囲い枠片２０ｃの内側に沿って第４・第５補強線材２５ｄ，２５ｅが配置される。上部の第４補強線材２５ｄは、一端が機構板４の裏面にビス止めにより固着され、他端が自由端になっている。また、第５補強線材２５ｅも一端が機構板４の裏面にビス止めにより固着され、他端が自由端になっている。
【００２６】
第４・第５補強線材２５ｄ，２５ｅは前記と同様に複数の押圧具２７を機構板４の裏面に取着して押圧される。また、第４・第５補強線材２５ｄ，２５ｅにもそれら所定位置の外周面に噛合部３８が周設され、各噛合部３８に対応位置して機構板４の裏面に固定具２８が取着されており、各固定具２８の噛合部３７と前記噛合部３８が互いに噛合して第４・第５補強線材２５ｄ，２５ｅを機構板４にしっかりと固着している。
【００２７】
この機構板１３は、逆Ｌ字型をしている関係上、例えば球タンク１４の荷重により撓む危険性が有るが、前記第４・第５補強線材２５ｄ，２５ｅが機構板１３に一体に固着されていることから、該機構板１３がその荷重により撓むようなことはない。
【００２８】
前記いずれの実施の形態も、補強線材２５ａ〜２５ｅの少なくとも一端側を透明板保持枠４または機構板１３にビス止めにより固着しているが、これら一端側も他端側と同様に自由端とし、すなわち両端を自由端としても良い。そして、補強線材２５ａ〜２５ｅの適宜位置に２個以上噛合部３８を刻設すると共に透明板保持枠４または機構板１３に前記各噛合部３８と対応位置して噛合部３７が刻設される固定具２８を固着するようにしても良い。同様に、これら固定具２８と共に押圧具２７を組み合わせても良い。
【図面の簡単な説明】
【００２９】
【図１】本発明が適用されるパチンコ遊技機の正面図。
【図２】同裏面図。
【図３】透明板保持枠の前から見た斜視図。
【図４】同裏面図。
【図５】同裏から見た分解斜視図。
【図６】押圧具部位の分解斜視図。
【図７】固定具部位の分解斜視図。
【図８】図２のＸ−Ｘ線断面図。
【図９】図２のＹ−Ｙ線断面図。
【図１０】図２のＺ−Ｚ線断面図。
【図１１】機構板の裏から見た分解斜視図。
【符号の説明】
【００３０】
４                      大型枠部材（透明板保持枠）
１３                    大型枠部材（機構板）
２５ａ                  補強線材（第１補強線材）
２５ｂ                  補強線材（第２補強線材）
２５ｃ                  補強線材（第３補強線材）
２５ｄ                  補強線材（第４補強線材）
２５ｅ                  補強線材（第５補強線材）
２８                    固定具
３７                    噛合部
３８                    噛合部
Ａ                      弾球遊技機（パチンコ遊技機）
【図１】
2006181076.tif 000003
【図２】
2006181076.tif 000004
【図３】
2006181076.tif 000005
【図４】
2006181076.tif 000006
【図５】
2006181076.tif 000007
【図６】
2006181076.tif 000008
【図７】
2006181076.tif 000009
【図８】
2006181076.tif 000010
【図９】
2006181076.tif 000011
【図１０】
2006181076.tif 000012
【図１１】
2006181076.tif 000013
【手続補正書】
【提出日】平成18年3月7日(2006.3.7)
【手続補正１】
【補正対象書類名】特許請求の範囲
【補正対象項目名】全文
【補正方法】変更
【補正の内容】
【特許請求の範囲】
【請求項１】
透明板保持枠、機構板といった合成樹脂製の大型枠部材の裏面にその外周縁に沿って所定の外径を有する金属製の補強線材を配置してなる弾球遊技機であって、
前記補強線材の適宜位置の外周面に多数の環状歯が列設される噛合部を刻設し、前記大型枠部材の裏面に前記噛合部と噛合する多数の歯を列設した噛合部が刻設される固定具を固着し、前記両噛合部を噛合させることにより前記補強線材が前記大型枠部材の補強のためその裏面に一体に固着されるようにしたことを特徴とする弾球遊技機。
【請求項２】
前記補強線材の一端は前記大型枠部材の裏面に固着されると共にその他端は自由端とし、前記大型枠部材の裏面に取着される押圧具により前記補強線材を前記大型枠部材側へ押圧するようにした請求項１記載の弾球遊技機。
【手続補正２】
【補正対象書類名】明細書
【補正対象項目名】０００５
【補正方法】変更
【補正の内容】
【０００５】
ところで、前記特許文献２の弾球遊技機における大型枠部材、例えば透明板保持枠では、例えば両側に大型のスピーカが装着されたり、或いは遊技者が不正行為をする目的で透明板保持枠を前側へ引っ張ったりする場合がある。このような状況では、補強線材が取着されているものの、該補強線材は少なくとも一端が前記大型枠部材に固着されると共に適宜位置が前記大型枠部材の裏面に取着した押止具により前記大型枠部材の裏面に押圧されるのみであるから、前者の荷重に対しては十分耐え得るが、後者の荷重に対しては耐え得るのが困難である。特に、撓みに対して補強線材がその軸線方向にずれて不正行為が容易に行なわれるおそれが有り、補強線材の本来の補強機能が十分生かされないという改良すべき点が残されていた。
【手続補正３】
【補正対象書類名】明細書
【補正対象項目名】０００７
【補正方法】変更
【補正の内容】
【０００７】
かかる目的を達成するため本発明の弾球遊技機は、透明板保持枠、機構板といった合成樹脂製の大型枠部材の裏面にその外周縁に沿って所定の外径を有する金属製の補強線材を配置してなる弾球遊技機であって、前記補強線材の適宜位置の外周面に多数の環状歯が列設される噛合部を刻設し、大型枠部材の裏面に前記噛合部と噛合する多数の歯を列設した噛合部が刻設される固定具を固着し、前記両噛合部を噛合させることにより前記補強線材が大型枠部材の補強のためその裏面に一体に固着されるようにした構成からなる。具体的には、透明板保持枠、機構板といった合成樹脂製の大型枠部材の裏面にその外周縁に沿って所定の外径を有する金属製の補強線材を配置してなる弾球遊技機であって、補強線材の少なくとも一端側を大型枠部材に固着すると共に、補強線材の適宜位置の外周面に多数の環状歯が列設される噛合部を刻設し、大型枠部材の裏面に前記噛合部と噛合する多数の歯を列設した噛合部が刻設される固定具を固着し、前記両噛合部を噛合させることにより前記補強線材が大型枠部材の補強のためその裏面に一体に固着されるようにした構成からなる。この場合、前記補強線材の一端は前記大型枠部材の裏面に固着されると共にその他端は自由端とし、前記大型枠部材の裏面に取着される押圧具により前記補強線材を前記大型枠部材側へ押圧するようにしても良い。
【手続補正４】
【補正対象書類名】明細書
【補正対象項目名】０００８
【補正方法】変更
【補正の内容】
【０００８】
本発明に係る弾球遊技機は、合成樹脂製の大型枠部材の裏面にその外周縁に沿って所定の外径を有する金属製の補強線材を配置し、前記補強線材の適宜位置の外周面に多数の環状歯が列設される噛合部を刻設し、大型枠部材の裏面に前記噛合部と噛合する多数の歯を列設した噛合部が刻設される固定具を固着し、前記両噛合部を噛合させることにより前記補強線材が大型枠部材の補強のためその裏面に一体に固着されるようにしてなる。よって、補強線材が大型枠部材と一体化しかつその軸線方向にはずれないので、大型枠部材が極めて強固な構造となり、荷重に十分耐え得るばかりでなく、たとえ不正行為などによる荷重が加わっても大型枠部材が反ったり撓むようなことがなく、不正行為も簡単に行なえないという効果がある。
【手続補正５】
【補正対象書類名】明細書
【補正対象項目名】００１７
【補正方法】変更
【補正の内容】
【００１７】
前記各押圧具２７は、図６、図８に示すように保持枠本体板４ａの裏面に当接する基板３０の一端に軸筒部３１が突設され、該軸筒部３１を介して保持枠本体板４ａに設けられた螺子孔３２に螺子３３を螺合させることにより取着される。そして、基板３０の他端一側に設けられた押片３０ａにより第１・第２補強線材２５ａ，２５ｂを保持枠本体板４ａ側へ押圧している。保持枠本体板４ａの隅角部に取着される押圧具２７にあっては、押片３０ａが他端の両側に２個設けられている。
【手続補正６】
【補正対象書類名】明細書
【補正対象項目名】００２９
【補正方法】変更
【補正の内容】
【００２９】
【図１】本発明が適用されるパチンコ遊技機の正面図。
【図２】同裏面図。
【図３】透明板保持枠の前から見た斜視図。
【図４】同裏面図。
【図５】同裏から見た分解斜視図。
【図６】押圧具部位の分解斜視図。
【図７】固定具部位の分解斜視図。
【図８】図４のＸ−Ｘ線断面図。
【図９】図４のＹ−Ｙ線断面図。
【図１０】図４のＺ−Ｚ線断面図。
【図１１】機構板の裏から見た分解斜視図。